(57)【特許請求の範囲】
【請求項１】
玄関子機（１）のカメラ（１２）で撮像された玄関の映像を親機（２）のモニタ（２２）で視認しながらチルトボタン（２３ａ）の操作で発生するチルト信号により前記カメラをチルト動作させ、呼出ボタン（１５）が操作されたとき前記玄関の映像を前記モニタで出画し、録画ユニット（３）の外出ボタン（３８）の操作により前記玄関の録画映像を前記録画ユニットのメモリ（３４）に録画し、前記録画ユニットの再生ボタン（３９）の操作により前記録画ユニットに録画されていた玄関の映像を前記モニタで分割表示再生するテレビドアホン装置であって、
前記録画ユニットは、前記玄関の映像を時間をおいて録画する時間設定をするタイマー（３５）と、前記玄関の映像をｎ（ｎは２以上の正の整数）回録画する録画回数を設定するカウンター（３６）と、前記時間設定された時間をおいて前記ｎ個の撮像位置に前記カメラをチルト動作させるチルト信号を発生するチルト信号発生器（３３）とを備えたことを特徴とするテレビドアホン装置。
【発明の詳細な説明】
【０００１】
【発明の属する技術分野】
本発明は、玄関子機、親機および録画ユニットを備えるテレビドアホン装置に係わり、特に、来訪者の全身の様子を容易に識別し得るテレビドアホン装置に関する。
【０００２】
【従来の技術】
従来から、テレビドアホン装置として、来訪者の画像を室内でモニタできると共に、留守中に呼出操作を行なった来訪者の画像を録画し、帰宅後に画像を再生し得る、いわゆる留守録画機能付きのテレビドアホン装置が知られている。
【０００３】
図３は、従来のテレビドアホン装置のブロック図を示している。
【０００４】
図３において、従来のテレビドアホン装置は、戸外に設置される玄関子機１００と、室内に設置される親機２００と、玄関子機１００および親機２００に接続される録画ユニット３００とで構成されている。
【０００５】
玄関子機１００は、親機２００と信号の送受を行なうインターフェ−ス１０１を備えており、このインターフェ−ス１０１には、玄関子機１００の周囲を撮影するカメラ１０２と、チルト信号によりカメラ１０２をチルト動作させるチルト機構１０３と、親機２００と通話を行なう通話部１０４および来訪を知らせ親機２００を呼び出す呼出ボタン１０５が接続されている。
【０００６】
親機２００は、玄関子機１００のインターフェ−ス１０１と信号の送受を行なうインターフェ−ス２０１を備えており、このインターフェ−ス２０１には、玄関子機１００のカメラ１０２で撮影される画像を出画するモニタ２０２と、このモニタ２０２で視認しながら操作するチルトボタン２０３ａの操作で発生するチルト信号発生器２０３と、玄関子機１００と通話を行なう通話部２０４およびこれらの制御を行なうＣＰＵ２０５が接続されている。
【０００７】
録画ユニット３００は、玄関子機１００のインターフェ−ス１０１および親機２００のインターフェ−ス２０１と信号の送受を行なうインターフェ−ス３０１を備えており、このインターフェ−ス３０１には、映像信号変換器３０２およびＣＰＵ３０７が接続され、このＣＰＵ３０７と映像信号変換器３０２との間には、ＤＲＡＭ３０４が接続され、ＣＰＵ３０７には、このＣＰＵ３０７からの信号により、経過時間を測定するタイマー３０５と、玄関の映像の録画回数をカウントするカウンター３０６と、「外出モード」の設定を行なう外出ボタン３０８およびＤＲＡＭ３０４に保存されている映像を親機２００のモニタ２０２に出画させる再生ボタン３０９が接続されている。ここで、映像信号変換器３０２は、玄関子機１００のカメラ１０２から送られるアナログ画像信号を録画のためにデジタル信号に変換し，このデジタル信号をモニタ２０２に出画するためにアナログ信号に変換する機能を有している。
【０００８】
次に、従来のテレビドアホン装置の動作について述べる。
【０００９】
最初に、録画機能について述べる。
【００１０】
先ず、録画ユニット３００の外出ボタン３０８を操作して、「外出モード」を設定する。しかして、外出中に、玄関子機１００の呼出ボタン１０５が押されると、呼出信号が玄関子機１００のインターフェ−ス１０１および録画ユニット３００のインターフェ−ス３０１を介してＣＰＵ３０７に入力される。そして、録画ユニット３００のＣＰＵ３０７が呼出信号を検出すると、タイマー３０５が駆動され、カウンター３０６が「０」にセットされる。その後、玄関子機１００のカメラ１０２から、玄関のアナログ画像信号が、玄関子機１００のインターフェ−ス１０１および録画ユニット３００のインターフェ−ス３０１を介して映像信号変換器３０２へ送られ、この映像信号変換器３０２においてデジタル信号に変換される。そして、タイマー３０５は、スタートから所定時間経過後に，ＣＰＵ３０７へ信号を送り、ＣＰＵ３０７は、このタイミングで自動的に映像信号変換器３０２で変換されたデジタル映像信号をＤＲＡＭ３０４に保存して玄関の映像を録画する。ここで、ＣＰＵ３０７は、カウンター３０６の値を調べ、その値が「３」に達していないときは、カウンター３０６の値を「１」増加させ、再度タイマー３０５をスタートさせる。以上の繰り返しにより、玄関子機１００周囲の映像が４回録画され、そのデータがＤＲＡＭ３０４へ保存される。
【００１１】
次に、再生機能について述べる。
【００１２】
先ず、録画ユニット３００の再生ボタン３０９を押す。そうすると、録画ユニット３００のＣＰＵ３０７で再生信号が検出され、再生信号が、録画ユニット３００のインターフェ−ス３０１および親機２００のインターフェ−ス２０１を介してＣＰＵ２０５へ入力され、これにより、モニタ２０２がＯＮされる。また、ＣＰＵ３０７は、ＤＲＡＭ３０４に保存された４つのデータを読み出し、映像信号変換器３０２でそれぞれ１／４サイズに縮小して一枚分のアナログ映像信号に変換し、インターフェ−ス３０１および親機２００のインターフェ−ス２０１を介してモニタ２０２へ送る。このようにして、録画された玄関周囲の映像が再生される。
【００１３】
【発明が解決しようとする課題】
しかしながら、従来のテレビドアホン装置は、以上のように構成されているので、来訪者が顔を動かした場合でも、来訪者の映像を間歇的に４回録画していることから、４回の録画のいずれかに来訪者の正面を向いた画像が含まれている確率が高く、また、モニタ画面の分割表示機能により一度に４枚の映像を確認し得る利点を有しているものの、来訪者の身長が高い場合は来訪者の一部分しか識別できず、また、来訪者が手元に何を持っているのか分からないという難点があった。従って、録画された映像を再生しても、来訪者の全身の様子が容易に識別できず、使い勝手が悪いという難点があった。
【００１４】
本発明は、上述の難点を解消するためになされたもので、玄関子機のチルト機構を動かしながら、玄関の映像を間歇的に複数回録画することで、来訪者の全身の様子を容易に識別しうる機能を備えたテレビドアホン装置を提供することを目的とする。
【００１５】
【課題を解決するための手段】
このような目的を達成するため、本発明によるテレビドアホン装置は、玄関子機のカメラで撮像された玄関の映像を親機のモニタで視認しながらチルトボタンの操作で発生するチルト信号によりカメラをチルト動作させ、呼出ボタンが操作されたとき玄関の映像をモニタで出画し、録画ユニットの外出ボタンの操作により玄関の録画映像を録画ユニットのメモリに録画し、録画ユニットの再生ボタンの操作により録画ユニットに録画されていた玄関の映像をモニタで分割表示再生するテレビドアホン装置であって、録画ユニットは、玄関の映像を時間をおいて録画する時間設定をするタイマーと、玄関の映像をｎ（ｎは２以上の正の整数）回録画する録画回数を設定するカウンターと、時間設定された時間をおいてｎ個の撮像位置にカメラをチルト動作させるチルト信号を発生するチルト信号発生器とを備えたことを特徴としている。
【００１６】
このようなテレビドアホン装置によれば、玄関子機のチルト機構を動かしながら、玄関の映像を間歇的に複数回録画することで、来訪者の全身の様子を容易に識別することができ、使い勝手の良いテレビドアホン装置を提供できる。
【００１７】
【発明の実施の形態】
以下、本発明のテレビドアホン装置を適用した好ましい形態例について、図面を参照して説明する。
【００１８】
図１は、本発明のテレビドアホン装置の一実施例を示すブロック図である。
【００１９】
図１において、本発明のテレビドアホン装置は、戸外に設置される玄関子機１と、室内に設置される親機２と、玄関子機１および親機２に接続される録画ユニット３とで構成されている。
【００２０】
玄関子機１は、親機２と信号の送受を行なうインターフェ−ス１１を備えており、このインターフェ−ス１１には、玄関子機１の周囲を撮影するカメラ１２と、チルト信号によりカメラ１２をチルト動作させるチルト機構１３と、親機２と通話を行なう通話部１４および来訪を知らせ親機２を呼び出す呼出ボタン１５が並列に接続されている。
【００２１】
親機２は、玄関子機１のインターフェ−ス１１と信号の送受を行なうインターフェ−ス２１を備えており、このインターフェ−ス２１には、玄関子機１のカメラ１２で撮影される画像を出画するモニタ２２と、このモニタ２２で視認しながら操作するチルトボタン２３ａの操作でチルト信号を発生させるチルト信号発生器２３と、玄関子機１と通話を行なう通話部２４およびこれらの制御を行なうＣＰＵ２５が並列に接続され、チルト信号発生器２３には、チルトボタン２３ａが接続されている。
【００２２】
録画ユニット３は、玄関子機１のインターフェ−ス１１および親機２のインターフェ−ス２１と信号の送受を行なうインターフェ−ス３１を備えており、このインターフェ−ス３１には、映像信号変換器３２およびＣＰＵ３７が並列に接続され、このＣＰＵ３７と映像信号変換器３２との間には、メモリとしてのＤＲＡＭ３４が接続され、ＣＰＵ３７とインターフェ−ス３１との間には、チルト信号発生器３３が接続され、ＣＰＵ３７には、このＣＰＵ３７からの信号により経過時間を測定するタイマー３５と、玄関の映像の録画回数をカウントするカウンター３６と、「外出モード」の設定を行なう外出ボタン３８およびＤＲＡＭ３４に保存されている映像を親機２のモニタ２２に出画させる再生ボタン３９が並列に接続されている。ここで、映像信号変換器３２は、玄関子機１のカメラ１２から送られるアナログ画像信号を録画のためにデジタル信号に変換し，このデジタル信号を親機２のモニタ２２に出画するためにアナログ信号に変換する機能を有している。
【００２３】
かかる構成の本発明のテレビドアホン装置においては、玄関子機１のカメラ１２で撮像された玄関の映像は、親機２のモニタ２２で視認されるように構成されており、また、玄関の映像を親機２のモニタ２２で視認しながら、チルトボタン２３ａの操作で発生するチルト信号により、カメラ１２がチルト動作するように構成されている。更に、録画ユニット３の外出ボタン３８の操作により、玄関の録画映像が録画ユニット３のＤＲＡＭ３４に録画され、録画ユニット３の再生ボタン３９の操作により、録画ユニット３に録画されていた玄関の映像が親機２のモニタ２２で分割表示再生するように構成されている。
【００２４】
次に、本発明のテレビドアホン装置の動作について述べる。
【００２５】
最初に、録画機能について述べる。
【００２６】
先ず、録画ユニット３の外出ボタン３８を操作して、「外出モード」を設定する。しかして、外出中に、玄関子機１の呼出ボタン１５が押されると、呼出信号が玄関子機１のインターフェ−ス１１および録画ユニット３のインターフェ−ス３１を介して録画ユニット３のＣＰＵ３７に入力される。そして、録画ユニット３のＣＰＵ３７が呼出信号を検出すると、タイマー３５が駆動され、カウンター３６が「０」にセットされる。また、これと共に、ＣＰＵ３７の制御によってチルト信号発生器３３からチルト信号が発生し、このチルト信号が録画ユニット３のインターフェ−ス３１および玄関子機１のインターフェ−ス１１を介して玄関子機１のチルト機構１３へ入力される。そうすると、チルト機構１３の動作によって、玄関子機１のカメラ１２が、図２（ａ）（ｂ）に示すように、Ａ点、すなわち来訪者の頭部位置に向けてチルト動作し、スタートから２秒経過後の玄関の映像が録画される。かかる玄関のアナログ画像信号は、玄関子機１のカメラ１２から、玄関子機１のインターフェ−ス１１および録画ユニット３のインターフェ−ス３１を介して、映像信号変換器３２へ送られ、この映像信号変換器３２によってデジタル映像信号に変換された後、ＤＲＡＭ３４に保存される。
【００２７】
一方、スタートから所定時間経過後に、タイマー３５からＣＰＵ３７へ信号が送られ、この信号によってＣＰＵ３７が制御され、チルト信号発生器３３からチルト信号が出力される。そして、前述のように、このチルト信号が録画ユニット３のインターフェ−ス３１および玄関子機１のインターフェ−ス１１を介して玄関子機１のチルト機構１３へ入力され、チルト機構１３の動作によって玄関子機１のカメラ１２が図２（ａ）、（ｂ）に示すＢ点、すなわち来訪者の首部位置に向けてチルト動作し、スタートから２．５秒経過後の玄関の映像が録画される。
【００２８】
以下、同様の繰り返しにより、３秒経過後のＣ点、すなわち来訪者の胸部位置、３．５秒経過後のＤ点、すなわち来訪者の腰部位置の映像が録画され、これらＡ、Ｂ、Ｃ、Ｄの各位置における録画データがＤＲＡＭ３４へ保存される。なお、玄関子機１のカメラ１２が撮像位置に向けて移動する時間は約０．２５秒とされている。
【００２９】
次に、再生機能について述べる。
【００３０】
先ず、録画ユニット３の再生ボタン３９を押す。そうすると、ＣＰＵ３７で再生信号が検出され、その検出信号が録画ユニット３のインターフェ−ス３１および親機２のインターフェ−ス２１を介してＣＰＵ２５へ入力され、これにより、モニタ２２がＯＮされる。また、録画ユニット３のＣＰＵ３７によって、ＤＲＡＭ３４に保存されていた前述の録画データが取り出され、映像信号変換器３２において４枚の映像がそれぞれ１／４サイズに縮小されて一枚分のアナログ映像信号に変換される。そして、このアナログ映像信号がインターフェ−ス３１および親機２のインターフェ−ス２１を介してモニタ２２へ送られ、これにより録画された玄関の映像が再生される。
【００３１】
以上のように、本発明のテレビドアホン装置においては、録画ユニットが、玄関の映像を時間をおいて録画する時間設定をするタイマー３５と、玄関の映像をｎ（ｎは２以上の正の整数）回録画する録画回数を設定するカウンター３６と、時間設定された時間をおいてｎ個の撮像位置にカメラをチルト動作させるチルト信号を発生するチルト信号発生器３３とを備えていることから、来訪者の身長が高い場合においても、来訪者がカメラの撮影範囲外となって、画面に表示されないという事態の発生を防止し得ると共に、また来訪者の手元をも容易に識別することができる。
【００３２】
なお、前述の実施例においては、来訪者を、２秒経過時点およびそれ以降０．５秒経過毎に撮像する場合について説明しているが、本発明はこれに限定されるものではなく、来訪者を撮影するために適切な時間であれば、２秒経過時点でなくてもよく、また一定間隔毎でなくともよい。更に、来訪者の撮像は来訪者の上半身に限定されず、来訪者の足下付近まで撮像してもよい。
【００３３】
【発明の効果】
以上の説明から明らかなように、本発明のテレビドアホン装置によれば、来訪者の身長が高い場合においても、来訪者がカメラの撮影範囲外となって、画面に表示されないという事態の発生を防止し得ると共に、また来訪者の手元や足下付近も容易に識別することができ、使い勝手の良いテレビドアホン装置を提供することができる。
【図面の簡単な説明】
【図１】本発明によるテレビドアホン装置の一実施例を示すブロック図。
【図２】本発明における玄関子機のカメラによる玄関の映像の撮像状況を示す説明図で、（ａ）は玄関子機のカメラの撮像位置への移動時間の説明図、（ｂ）は玄関の映像（来訪者）の撮像位置と玄関子機のカメラとの関係図。
【図３】従来のテレビドアホン装置のブロック図。
【符号の説明】
１・・・・・・・玄関子機
２・・・・・・・親機
３・・・・・・・録画ユニット
１２・・・・・カメラ
１５・・・・・呼出ボタン
２２・・・・・モニタ
３３・・・・・チルト信号発生器
３４・・・・・ＤＲＡＭ（メモリ）
３５・・・・・タイマー
３６・・・・・カウンター
３８・・・・・外出ボタン
３９・・・・・再生ボタン
【図１】
0004398029.tif 000002
【図２】
0004398029.tif 000003
【図３】
0004398029.tif 000004